(57)【要約】【課題】装飾体としての耳部などが電動により一定の動きをすると共に、その電動を行うための機構を一体的に内蔵したコンパクトな構造の電動装飾体付きカチューシャを提供する。【解決手段】カチューシャ本体１に左右の耳部２，３を設ける。制御側の耳部３に、電池収容部９と、スイッチ付き制御回路８が内蔵されている。スイッチ１１のＯＮ操作で、電動側の耳部２の上半部２ｂが、下半部２ａに内蔵された電動機構４によって、所定回数だけ回動し、動物の耳のような動きを呈する。【選択図】  図２
0003120498.tif 000002
【実用新案登録請求の範囲】
【請求項１】
カチューシャ本体に複数の装飾体を装備せしめたカチューシャであって、少なくとも一つの装飾体が、該装飾体に内蔵された電動機構によって一定の動作を行うよう形成されると共に、該装飾体を除く他の装飾体のうちの何れか一つに、前記電動機構の電源となる電池の収容部と、前記電動機構の作動開始，停止を制御するスイッチ付き制御回路とが内蔵されていることを特徴とする電動装飾体付きカチューシャ。
【請求項２】
前記複数の装飾体がカチューシャ本体に取り付けた左右の耳部であり、一方の耳部が、該耳部に内蔵された電動機構によって一定の動作を行うよう形成されると共に、他方の耳部に、該電動機構の電源となる電池の収容部と、該電動機構の作動開始，停止を制御するスイッチ付き制御回路とが内蔵されていることを特徴とする請求項１記載の電動装飾体付きカチューシャ。
【請求項３】
前記一方の耳部が、カチューシャ本体に固定された下半部と、該下半部に対し前後方向へ回動自在に連結された上半部からなり、且つ前記下半部に、前記上半部を前後方向へ回動させる電動機構を内蔵してなることを特徴とする請求項２記載の電動装飾体付きカチューシャ。
【請求項４】
前記スイッチ付き制御回路により、該スイッチの操作で前記一方の耳の上半部が所定回数だけ前後方向へ回動するよう制御されることを特徴とする請求項３記載の電動装飾体付きカチューシャ。
【請求項５】
前記カチューシャ本体と各耳部が、動物の毛皮を模した起毛外被体で覆われていることを特徴とする請求項２〜４の何れか１項記載の電動装飾体付きカチューシャ。
【考案の詳細な説明】
【技術分野】
【０００１】
本考案は、複数の装飾体を備えたカチューシャに関し、詳しくは、少なくとも一つの装飾体が、電動機構によって一定の動作を行うよう形成された電動装飾体付きのカチューシャに関する。
【背景技術】
【０００２】
従来、装飾体付きのカチューシャとして、例えば特許文献１に記載されるような、頭への固定体（カチューシャ本体）に弾撓性部材を立設し、この弾撓性部材の頂端部もしくは中間部に、発光飾体（装飾体）を取り付けてなる頭飾おもちゃが知られている。
また、カチューシャ本体に、動物やアニメキャラクターなどの耳などを模した左右の耳部を設けてなるカチューシャも市販されている
【０００３】
【特許文献１】実開昭５９−１９１９８号公報
【考案の開示】
【考案が解決しようとする課題】
【０００４】
しかし、前記した頭飾おもちゃは、コイルバネ等の弾撓性部材の弾性により発光飾体が揺れ動くものであり、該発光飾体が電動により回転または回動などの一定の動きをするものではなかった。
また、左右の耳部を備えた市販のカチューシャも、カチューシャ本体に対し耳部を固定状に設けたもので、耳部が動くものではない。
【０００５】
本考案はこのような従来事情に鑑みてなされたもので、その目的とする処は、例えば左右の耳部などの装飾体を備えたカチューシャであって、その装飾体が電動により一定の動きをすると共に、その電動を行うための機構部を一体的に内蔵したコンパクトな構造の電動装飾体付きカチューシャを提供することにある。
【課題を解決するための手段】
【０００６】
以上の目的を達成するために、本考案は、カチューシャ本体に複数の装飾体を装備せしめたカチューシャであって、少なくとも一つの装飾体が、該装飾体に内蔵された電動機構によって一定の動作を行うよう形成されると共に、該装飾体を除く他の装飾体のうちの何れか一つに、前記電動機構の電源となる電池の収容部と、前記電動機構の作動開始，停止を制御するスイッチ付き制御回路とが内蔵されていることを特徴とする。
【０００７】
ここで、カチューシャ本体に装備せしめる複数の装飾体としては、例えば、動物やアニメキャラクターなどの耳を模した左右の耳部をあげることができる。また、これ以外にも、月と星、サンタクロースとトナカイ、映画，テレビなどの各種物語などに登場する人物や動物などのキャラクター、その他、互いの装飾体同士が一定の関係にあることが連想されるものなどをあげることができる。
【０００８】
そして、本考案は、これら複数の装飾体のうち、少なくとも一つの装飾体が電動可能であると共に、他の一つの装飾体が、電動可能な装飾体を作動させるための電池や制御回路を内蔵していることを特徴とする。
ここで、装飾体が電動可能であるとは、該装飾体に内蔵された電動機構によって一定の動作を行うよう形成されることである。また、一定の動作とは、例えば、装飾体が振動したり、回動したり、回転するなどの動作であり、電動機構は、目的とする動作に対応して、その動作を行うよう構成されることは言うまでもない。
【０００９】
このような構成とすることで、装飾体が電動により一定の動作を行う新規なカチューシャであって、その電動動作を行わせるための電動機構、電池、制御回路を自らが備え、且つその電動機構と、電池及び制御回路とを、複数の装飾体に分散して内蔵させたコンパクトな構成のカチューシャとして提供することができる。
【００１０】
前記複数の装飾体として、カチューシャ本体に取り付けた左右の耳部をあげることができる。この場合、一方の耳部が、該耳部に内蔵された電動機構によって一定の動作を行うよう形成されると共に、他方の耳部に、該電動機構の電源となる電池の収容部と、該電動機構の作動開始，停止を制御するスイッチ付き制御回路とが内蔵されている構成とすると良い。
【００１１】
前記一方の耳部は、該耳部に内蔵された電動機構によって振動可能に形成したり、回転可能に形成するなど、各種の態様が考えられる。
該耳部に動物などの耳を模した動きをさせるには、該耳部を、カチューシャ本体に固定された下半部と、該下半部に対し前後方向へ回動自在に連結された上半部から形成し、且つ前記下半部に、前記上半部を前後方向へ回動させる電動機構を内蔵してなる構成を採用すると良い。
【００１２】
前記スイッチ付き制御回路を、該スイッチの操作で、前記一方の耳の上半部が所定回数だけ前後方向へ回動するよう制御可能な構成にすると良い。
【００１３】
前記カチューシャ本体と各耳部が、動物の毛皮を模した起毛外被体で覆われていることが好ましい。ここで、動物としては、例えば、猫、犬、ウサギ、狐、狸、パンダ、熊、像などをあげることができる。
【考案の効果】
【００１４】
本考案に係る電動装飾体付きカチューシャは以上説明したように構成したので、装飾体が電動により一定の動作を行う新規なカチューシャであって、電動機構、電池、制御回路を備え、且つその電動機構と、電池及び制御回路とを、複数の装飾体に分散して内蔵するコンパクトな構造のカチューシャとして提供することができる。
よって、従来の装飾体付きカチューシャにはない演出効果を備えた新規なカチューシャとして、子供用の玩具や、演劇、催し物、パーティーなどの演出用具などとしても供することができるなど、幅広い需要が期待できる。
【考案を実施するための最良の形態】
【００１５】
以下、本考案に係る装飾体付きカチューシャの実施形態の一例を、図面を参照しながら説明する。
本例のカチューシャＡは、カチューシャ本体１に左右の耳部２，３を立設すると共に、カチューシャ本体１と各耳部２，３を、猫の毛皮を模した起毛外被体４で覆うことで、装着者の頭部に猫の耳を模した装飾体（左右の耳部２，３）が装着されるようになしたものである。
【００１６】
カチューシャ本体１は、一般に市販されているカチューシャと同様に硬質合成樹脂などで成形されたもので、その外側部分の左右両側に、左右の耳部２，３が取り付けられている。
【００１７】
一方の耳部（図１，図２において左側の耳部）２は、電動機構４によって一定の動作を行う電動側耳部２であって、カチューシャ本体１に固定された下半部２ａと、この下半部２ａに対し前後方向へ回動自在に連結された上半部２ｂからなり、この上半部２ｂを前後方向へ回動させる電動機構４が、下半部２ａに内蔵されている。
【００１８】
電動側耳部２の下半部２ａは、カチューシャ本体１と同質の合成樹脂などにより、電動機構４を内蔵可能なケース状に形成されるもので、本例では、カチューシャ本体１の所定箇所にビスなどの固定手段５で固定しているが、カチューシャ本体１と一体に形成しても良い。下半部２ａの上面には切欠部６が形成され、この切欠部６内に、電動耳部２の上半部２ｂを回動させる駆動軸４ａが回動自在に支持されている。駆動軸４ａには歯車４ｂが固定されており、この歯車４ｂを、下半部２ａ内に設置した正逆回転モータ４ｃの駆動で正逆回転するピニオン４ｄに、歯車４ｅを介して連係させて電動機構４を構成している。
【００１９】
電動側耳部２の上半部２ｂは、カチューシャ本体１と同質の合成樹脂などにより形成され、その下面には、前記した駆動軸４ａに連結される連結片４ｆが一体形成されており、前記した正逆回転モータ４ｃの駆動による駆動軸４ａの正逆回動に伴い、上半部２ｂが所定回数だけ前後方向へ回動するようになっている。
【００２０】
他方の耳部（図１，図２において右側の耳部）３は、前記した電動機構４の電源となる電池７と、電動機構５の作動開始，停止を制御するスイッチ付き制御回路盤８とを内蔵する制御側耳部３で、カチューシャ本体１と同質の合成樹脂などにより、前記電池７及びスイッチ付き制御回路盤８を内蔵可能なケース状に形成されている。制御側耳部３は、カチューシャ本体１の所定箇所にビスなどの固定手段で固定しても良いし、カチューシャ本体１と一体に形成しても良い。
【００２１】
制御側耳部３には、前記した電池７の収容部９が凹設状に区画形成されると共に、電池７を出し入れするための蓋１０が取り付けられている。
スイッチ付き制御回路盤８は、電池７の電力を正逆回転モータ４ｃに供給すると共に、スイッチ１１のＯＮ操作で該モータ４ｃが所定時間だけ作動するよう制御する制御回路（プリント配線）を備え、電池収容部９の裏側空間に配設されている。該制御回路盤８とモータ４ｃはコード１２で電気的に接続されている。
【００２２】
起毛外被体４は、猫の毛皮を模した起毛シートなどの材料により、カチューシャ本体１と各耳部２，３の外側を被覆可能に形成されたもので、カチューシャＡに対し取り外し自在に装着し得るようにするか、若しくは、前記した制御側耳部３の外側被覆部４ａの一部をベルベットファスナーなどを用いて開閉自在として、電池７の交換を可能に形成される。
【００２３】
以上の構成になる本例の電動装飾体付きカチューシャＡによれば、スイッチ１１をＯＮ操作すると、制御回路盤８により正逆回転モータ４ｃの作動が制御され、電動側耳部３の上半部２ｂが所定回数だけ前後方向へ回動し、片耳だけが猫の耳のような動きを呈する。よって、子供の興味を惹いたり、演劇、催し物、パーティーなどで用いるなど、幅広い場面での演出効果が期待できる。
【００２４】
以上、本考案の実施形態の一例を図面に基づき説明したが、本考案は図示例に限定されるものではなく、各請求項記載の技術的思想の範疇において種々の変更が可能であることは言うまでもない。
【図面の簡単な説明】
【００２５】
【図１】本考案に係るカチューシャの実施形態の一例を示す斜視図。
【図２】図１におけるカチューシャ本体と左右の耳部を示す平面図。
【図３】電動側の耳部の内部構造を簡略して示すための、図２の（Ｘ）−（Ｘ）線に沿う断面図。
【図４】制御側の耳部の内部構造を簡略して示すための、図２の（Ｙ）−（Ｙ）線に沿う断面図。
【符号の説明】
【００２６】
１：カチューシャ本体
２：電動側の耳部（一方の耳部）
３：制御側の耳部（他方の耳部）
４：電動機構
７：電池
８：スイッチ付き制御回路盤
９：電池収容部
１１：スイッチ
【図１】
0003120498.tif 000003
【図２】
0003120498.tif 000004
【図３】
0003120498.tif 000005
【図４】
0003120498.tif 000006